(57)【要約】  【課題】長手方向の両端から２つのソケット18が突出配置された反射体13を小形に包装できる包装装置21を提供する。  【解決手段】包装材22に設けた周囲包装部28により、反射体13の長手方向と交差する周囲を包装する。周囲包装部28の両端に設けた端部緩衝部により周囲包装部28で包装する反射体13の両端部を押える。両端の端部緩衝部29に設けた側面押え部50により、周囲包装部28で包み込む反射体13の長手方向と交差する幅方向の両側面を押え、反射体13の幅方向の位置を位置決めする。反射体13の各端部の２つのソケット18間に配置する反射面押え部51により、反射体13を周囲包装部28に対して押え、反射体13の長手方向および幅方向に交差する方向の位置を位置決める。  【選択図】図１
2005271947.tif 000002
【特許請求の範囲】
【請求項１】
反射面の長手方向の両端部にその長手方向と交差する幅方向の両側面よりそれぞれ突出する２つのソケットが配置された反射体の長手方向と交差する周囲を包装する周囲包装部と；
周囲包装部の両端に設けられ、周囲包装部で包装する反射体の両端部を押える端部緩衝部と；
両端の端部緩衝部に設けられ、周囲包装部で包装する反射体の幅方向の両側面を押える側面押え部と；
を具備していることを特徴とする包装装置。
【請求項２】
反射体の長手方向の両端部で２つのソケット間を通じて反射体の反射面を周囲包装部に対して押える反射面押え部を具備していることを特徴とする請求項１記載の包装装置。
【発明の詳細な説明】
【技術分野】
【０００１】
本発明は、反射面の長手方向の両端部にその長手方向と交差する幅方向の両側面よりそれぞれ突出する２つのソケットが配置された反射体を包装する包装装置に関する。
【背景技術】
【０００２】
従来、直管形ランプ用の照明器具を包装する包装装置では、１枚の包装材に、照明器具の長手方向と交差する周囲を覆って包装する周囲包装部、および照明器具の両端部を覆う端部緩衝部を一体に形成し、包装材の点数および使用量を削減する構成が知られている（例えば、特許文献１参照。）。
【０００３】
また、照明器具としては、反射面の長手方向の両端部に各２つのソケットが配置された逆富士形の反射体を有する２灯形の照明器具がある。各ソケットは、断面略逆富士形の反射面の長手方向と交差する幅方向両側の傾斜面にそれぞれ配置されるため、反射面の表面から突出するとともに、反射体の幅方向の両側面より側方に突出する場合がある。
【０００４】
このようにソケットが幅方向に突出する反射体を包装する包装装置では、ソケットが脆弱であり、ソケットが包装材に接触すると変形のおそれがあるため、包装材とは別の緩衝材を用い、この緩衝材でソケットを囲む空間を形成するようにして緩衝材を反射体の各端部の周りに配置している。
【特許文献１】特開２００１−１８０７７７号公報（第４頁、図２−３）
【発明の開示】
【発明が解決しようとする課題】
【０００５】
しかしながら、ソケットが幅方向に突出する反射体を包装する包装装置では、ソケットを保護するために包装材とは別の緩衝材を使用するので、包装に用いる包装材や緩衝材の点数が多くなり、しかも、緩衝材でソケットを囲む空間を形成するようにして緩衝材を反射体の周りに配置しているので、緩衝材が大形になるとともに、この緩衝材を含めて反射体を包装する包装材も大形になり、包装材および緩衝材の使用量が多く、包装材および緩衝材の製造、運搬、梱包、開梱後の破棄における取り扱いが煩雑になり、包装コストが高くなる問題がある。
【０００６】
本発明は、このような点に鑑みなされたもので、ソケットが幅方向に突出する反射体を１枚の包装材で小形に包装でき、包装材の点数および使用量を削減するとともに包装材の取り扱いを簡素化し、包装コストを低減できる包装装置を提供することを目的とする。
【課題を解決するための手段】
【０００７】
請求項１記載の包装装置は、反射面の長手方向の両端部にその長手方向と交差する幅方向の両側面よりそれぞれ突出する２つのソケットが配置された反射体の長手方向と交差する周囲を包装する周囲包装部と；周囲包装部の両端に設けられ、周囲包装部で包装する反射体の両端部を押える端部緩衝部と；両端の端部緩衝部に設けられ、周囲包装部で包装する反射体の幅方向の両側面を押える側面押え部と；を具備しているものである。
【０００８】
そして、周囲包装部の両端の端部緩衝部に、周囲包装部で包装する反射体の幅方向の両側面を押える側面押え部を設けたので、反射体より幅方向に突出するソケットが周囲包装部の両側面に当接しないように位置決め保持し、そのため、１枚の包装材で小形に包装可能で、包装材の点数および使用量が削減されるとともに包装材の取り扱いが簡素化され、包装コストが低減される。
【０００９】
請求項２記載の包装装置は、請求項１記載の包装装置において、反射体の長手方向の両端部で２つのソケット間を通じて反射体の反射面を周囲包装部に対して押える反射面押え部を具備しているものである。
【００１０】
そして、反射面押え部により、２つのソケット間を通じて反射体の反射面を周囲包装部に対して押えるため、ソケットが周囲包装部に当接しないように反射体の長手方向および幅方向と交差する方向の位置を位置決め保持する。
【発明の効果】
【００１１】
請求項１記載の包装装置によれば、周囲包装部の両端の端部緩衝部に、周囲包装部で包装する反射体の幅方向の両側面を押える側面押え部を設けたので、反射体より幅方向に突出するソケットが周囲包装部の両側面に当接しないように位置決め保持でき、そのため、１枚の包装材で小形に包装でき、包装材の点数および使用量を削減するとともに包装材の取り扱いを簡素化し、包装コストを低減できる。
【００１２】
請求項２記載の包装装置によれば、請求項１記載の包装装置の効果に加えて、反射体の長手方向の両端部で２つのソケット間を通じて反射体の反射面を周囲包装部に対して押える反射面押え部を備えたので、ソケットが周囲包装部に当接しないように反射体の長手方向および幅方向と交差する方向の位置を位置決め保持できる。
【発明を実施するための最良の形態】
【００１３】
以下、本発明の一実施の形態を図面を参照して説明する。
【００１４】
図１は包装装置の断面図、図２は包装装置の分解状態の斜視図、図３は包装装置の端部緩衝部の組立状態の斜視図、図４は包装装置の端部包装部の斜視図、図５は包装装置の包装状態の斜視図、図６は包装装置の包装材の展開図である。
【００１５】
図１および図２に示すように、照明器具11は、２本の直管形蛍光ランプを使用する２灯形で、天井面などの設置面に取り付けられる器具本体12、この器具本体12を収容した状態で器具本体12に対して着脱可能に取り付けられる逆富士形の反射体13を有している。
【００１６】
反射体13は、頂部反射面部14および両側の傾斜した傾斜反射面部15が形成された断面略逆富士形の反射面16を有し、この反射面16の各傾斜反射面部15の長手方向の両端部位置にアーム17を介してソケット18が突出配置されている。ソケット18には直管形蛍光ランプが接続されるソケット本体部が内蔵され、互いに対向するソケット18間に直管形蛍光ランプが着脱可能に接続される。そして、各ソケット18は、反射体13の頂部反射面部14の表面側より突出しているとともに反射体13の幅方向の両側面より外側方に突出されている。
【００１７】
図２および図４に示すように、器具本体12は、断面略コ字形に形成され、その内面12aの両端近傍には反射体13を例えば化粧ねじなどによって取り付ける図示しない反射体取付金具が取り付けられている。さらに、器具本体12の内面12aには、図示しない点灯装置や端子台などの部品が取り付けられ、長手方向の両端部に点灯装置とソケット18とを接続する配線が引き出されている。
【００１８】
次に、図１ないし図６に示すように、照明器具11を包装する包装装置21は、例えばダンボール材などの包装素材で形成された１枚の包装材22を有している。
【００１９】
包装材22は、照明器具11の長手方向および幅方向の外形より少し大きい長方形で照明器具11の反射体13の反射面16側を覆う反射面側覆い部23を有し、この反射面側覆い部23の長手方向と交差する方向の両側から折り目24を介して照明器具11の両側面を覆う一対の側面覆い部25が形成され、これら各側面覆い部25から折り目26を介して照明器具11の器具本体12側を覆う一対の器具本体側覆い部27が形成されている。これら反射面側覆い部23、一対の側面覆い部25および一対の器具本体側覆い部27によって照明器具11の周囲を筒状に包み込む周囲包装部28が形成されている。
【００２０】
また、周囲包装部28の長手方向の両端には、周囲包装部28で包み込む照明器具11の両端を覆って押える端部緩衝部29が一体に形成されている。これら端部緩衝部29は、反射面側覆い部23の両端から折り目30を介して形成された外側端面部31を有し、この外側端面部31の両側から折り目32を介して外側支え部33がそれぞれ形成され、これら各外側支え部33から折り目34を介して内側端面部35がそれぞれ形成され、これら各内側端面部35から折り目36を介して内側支え部37がそれぞれ形成され、これら各内側支え部37から折り目38を介して縁部39がそれぞれ形成されている。各外側支え部33、各内側端面部35、各内側支え部37および各縁部39は切れ目40によって周囲包装部28から切り離されている。
【００２１】
外側端面部31の両側の各外側支え部33、各内側端面部35、各内側支え部37および各縁部39をそれぞれ筒状に巻き込んで各照明器具11の端部を覆う一対の筒状部41が形成され、これら一対の筒状部41によって端部緩衝部29が形成されている。
【００２２】
一対の筒状部41の内側支え部37は互いに当接され、これら各内側支え部37には係止片42がそれぞれ切り込み形成されており、いずれか一方の係止片42を他方の係止片42側に切り倒してその他方の係止片42が切り倒された部分に係合させることで、内側支え部37が互いに係止され、端部緩衝部28の形状が保持される。
【００２３】
また、各端部緩衝部29の外側端面部31から折り目43を介して端部緩衝部29と器具本体側覆い部27との間に挟み込まれる器具本体側挟込み部44が形成され、この器具本体側挟込み部44の両側に折り目45を介して端部緩衝部29と側面覆い部25との間に挟み込まれる側面挟込み部46が形成されており、各側面挟込み部46は切れ目47によって端部緩衝部29から切り離されている。
【００２４】
器具本体側挟込み部44および側面挟込み部46は端部緩衝部29より周囲包装部28の内方に突出され、その器具本体側挟込み部44の突出部分に各折り目48を残して切れ目49が入れられて両側の側面押え部50が形成されている。これら両側の側面押え部50を切り起こすことにより、これら両側の側面押え部50が反射体13の幅方向の両側面に当接して幅方向の位置を位置決め規制する。
【００２５】
また、包装材22の長手方向の一端には、一対の反射面押え部51および一対の端部包装部52が一体に形成され、切れ目53によってそれぞれ分離される。なお、切れ目53は一対の反射面押え部51および一対の端部包装部52の使用時に切り離し可能としている。
【００２６】
各反射面押え部51は、反射体13の各端部位置で両側のソケット18間を通じて反射体13の頂部反射面部14を周囲包装部28に対して押えるもので、器具本体側挟込み部44および側面挟込み部46の端側から切れ目53によって分離されており、中央部に反射体13の頂部反射面部14に当接する当接部54が形成され、この当接部54の両側に折り目55を介して反射面側覆い部23に当接する折曲部56が形成されている。
【００２７】
各端部包装部52は、器具本体12の両端部を包み込むもので、端部緩衝部29、側面挟込み部46および反射面押え部51とのなす包装材22の角部から切れ目53によってそれぞれ分離されており、器具本体12の内面12a側を覆う内面部57を有し、この内面部57の両側から折り目58を介して器具本体12の両側面を覆う側面部59が形成され、一方の側面部59から折り目60を介して器具本体12の取付面である外面12b側を覆う外面部61が形成され、この外面部61から折り目62を介して他方の側面部59に重ねて取り付けられる縁部63が形成されている。内面部57の内側には両側の側面部59に亘って切れ目64が形成されている。
【００２８】
次に、包装装置21による照明器具11の包装動作について説明する。
【００２９】
図２に示すように、各反射面押え部51および各端部包装部52を切り離した展開状態の包装材22の反射面側覆い部23上に沿って、反射体13の反射面16を対向させて配置する。
【００３０】
各反射面押え部51を略コ字形に形成し、これら反射面押え部51を各反射体13の各端部位置で両側のソケット18間を通じて頂部反射面部14と反射面側覆い部23との間に配置する。
【００３１】
各端部包装部52で器具本体12の各端部を包み込んで筒状に形成し、接着テープ71を貼り付けて止める。このとき、切れ目64を器具本体12の内面12aの両端近傍に取り付けられている反射体取付金具の外端位置に合わせて包み込み、切れ目64より外端側の内面部57を器具本体12の内面12a側に押し込み変形させて長手方向押え部57aを形成する。これにより、長手方向押え部57aが反射体取付金具に当接することで、端部包装部52が器具本体12の中央方向へ向かう位置を位置決め規制する。
【００３２】
両端部に端部包装部52を取り付けた器具本体12を、この器具本体12の内面12a側を反射体13の内面側に向けた状態で反射体13の内側に挿入する。反射体13の挿入により、両端部の端部包装部52が、器具本体12と反射体13との間に介在し、反射体13に対して器具本体12の長手方向および幅方向の位置を位置決め規制するとともに、器具本体12と反射体13との間に接触しない空間を形成する。器具本体12と反射体13との間に空間が形成されることにより、器具本体12と反射体13との間に配線を噛み込むことがなく、配線の取り扱いを容易にできる。
【００３３】
図３に示すように、包装材22の各端部において、外側端面部31の両側の筒状部41を筒状に巻き込んで係止片42によって形状保持させ、端部緩衝部29を形成する。
【００３４】
各端部緩衝部29より突出している各器具本体側挟込み部44から側面押え部50を切り起こすとともに側面挟込み部46を折り曲げて立ち上げる。
【００３５】
各端部緩衝部29を反射面側覆い部23上に折り曲げて立ち上げながら反射体13の各端面に押し当て、反射体13の長手方向の位置を位置決め規制する。
【００３６】
各器具本体側挟込み部44を各端部緩衝部29上および反射体13上に折り曲げ、両側の側面押え部50を反射体13の両側に配置して幅方向の位置を位置決め規制する。両側の側面挟込み部46は端部緩衝部29の両側に配置し、先端を反射面側覆い部23に当接させる。
【００３７】
反射面側覆い部23の両側の側面覆い部25および器具本体側覆い部27で反射体13および両端の端部緩衝部29を包み込み、両器具本体側覆い部27の先端を突き当てて周囲包装部28を形成する。
【００３８】
最後に、周囲包装部28の両側の器具本体側覆い部27の先端間および両端の端部緩衝部29にわたって接着テープ72を貼り付けて止める。
【００３９】
そして、図１に示すように、梱包後の保管時や輸送時などの姿勢では、反射面側覆い部23を上面側、接着テープ72で止められた器具本体側覆い部27を下面側とする。
【００４０】
また、開梱時には、接着テープ72を剥がすか切断することで開梱する。このとき、カッターを一対の器具本体側覆い部27の先端間に差し込んで接着テープ72を切断した場合、カッターの先端が器具本体12に当たったとしても、天井面などに接合して取り付けられる取付面である外面12bに傷がつくだけで、内面12a側に配置される配線や点灯装置などが損傷することはない。そのため、接着テープ72を切断するカッターの先端が器具本体12に当接しないように、器具本体側覆い部27をオーバーラップさせるような必要がなく、器具本体側覆い部27の先端を突き合わせるように構成するだけでよく、包装材22の使用量を削減できる。
【００４１】
そして、このように構成された包装装置21によれば、両端の端部緩衝部29に設けられた側面押え部50により、周囲包装部28で包装する反射体13の幅方向の両側面を押えるため、反射体13の幅方向の位置を位置決め保持してソケット18が周囲包装部28の両側面に当接するのを防止できる。
【００４２】
さらに、反射面押え部51により、２つのソケット18間を通じて反射体13の頂部反射面部14を周囲包装部28に対して押えるため、反射体13の長手方向および幅方向と交差する方向の位置を位置決めしてソケット18が周囲包装部28に当接するのを防止できる。
【００４３】
そのため、１枚の包装材22から形成される側面押え部50および反射面押え部51により周囲包装部28に対する反射体13の位置を位置決め保持し、周囲包装部28内にソケット18を保護する空間を形成してソケット18を確実に保護でき、しかも、１枚の包装材22で小形に包装でき、包装材22の点数および使用量を削減できるとともに包装材22の製造、運搬、梱包、開梱後の廃棄における取り扱いを簡素化でき、包装コストを低減できる。
【００４４】
また、器具本体12の両端部を端部包装部52で包み込んで反射体13の内側に配置するため、端部包装部52のみで器具本体12と反射体13との間を確実に緩衝できる。
【００４５】
また、周囲包装部28、端部緩衝部29および側面押え部50とともに、反射面押え部51および端部包装部52を１枚の包装材22から形成したため、材料取りをよくし、包装コストを低減できる。
【００４６】
なお、前記実施の形態では、アーム17を介してソケット18を突出配置したが、アーム17が用いられず、ソケット18が反射体13の両側の傾斜反射面部15から突出配置された照明器具11についても同様に包装できる。
【図面の簡単な説明】
【００４７】
【図１】本発明の一実施の形態を示す包装装置の断面図である。
【図２】同上包装装置の分解状態の斜視図である。
【図３】同上包装装置の端部緩衝部の組立状態の斜視図である。
【図４】同上包装装置の端部包装部の斜視図である。
【図５】同上包装装置の包装状態の斜視図である。
【図６】同上包装装置の包装材の展開図である。
【符号の説明】
【００４８】
13    反射体
16    反射面
18    ソケット
21    包装装置
28    周囲包装部
29    端部緩衝部
50    側面押え部
51    反射面押え部
【図１】
2005271947.tif 000003
【図２】
2005271947.tif 000004
【図３】
2005271947.tif 000005
【図４】
2005271947.tif 000006
【図５】
2005271947.tif 000007
【図６】
2005271947.tif 000008